【事件の表示】
　特願２０００−　７５５１７「電気かみそり」拒絶査定不服審判事件〔平成１２年１０月１７日出願公開、特開２０００−２８８２６７〕について、次のとおり審決する。
【結　論】
　本件審判の請求は、成り立たない。
【理　由】
第１　手続の経緯
　本件出願は、平成８年７月３日に出願した特願平８−１９３８９８号の一部を平成１２年３月１７日に新たな特許出願としたものであって、平成１５年５月１３日付けで拒絶の理由が通知され、同１５年７月２２日に意見書とともに手続補正書が提出されたが、同１５年８月２２日付けで拒絶をすべき旨の査定がされ、同１５年１０月２日に拒絶査定に対する審判の請求がなされるとともに、同１５年１０月３１日に明細書を補正対象書類とする手続補正（以下、「本件補正」という。）がされたものである。
　　　　　　　　　　　　　　　　　　　　　　　　　　　　　　
第２　本件補正についての補正却下の決定
［補正却下の決定の結論］
　本件補正を却下する。
　　　　　　　　　　　　　　　　　　　　　　　　　　　　　　
［理由］
１．補正の内容の概要
　本件補正は特許請求の範囲を含む明細書について補正をするものであって、特許請求の範囲の請求項１について補正前後の記載を補正箇所に下線を付して示すと以下のとおりである。
　　　　　　　　　　　　　　　　　　　　　　　　　　　　　　
１−１　補正前の請求項１
「　【請求項１】　上部に主刃４を有する本体ケース１の上部側面に、上端に長毛カット刃４１を備えた長毛カットユニット５を、長毛カット刃４１が本体ケース１の主刃４よりも下方に位置する格納位置と、長毛カット刃４１が主刃４の側部に接近する高さに突出するコンビネーション剃りの使用位置との間で上下方向に移動可能に装着してある電気かみそりにおいて、
　長毛カットユニット５がコンビネーション剃りの使用位置において所定ストロークだけ上下にフローティングするように弾性支持されており、
　長毛カット刃４１を挟む形態を成す位置に、櫛状の髭梳し部Ｔ１と櫛状の第二の髭梳し部Ｔ２を設けたことを特徴とする電気かみそり。」
　　　　　　　　　　　　　　　　　　　　　　　　　　　　　　
１−２　補正後の請求項１
「　【請求項１】　上部に主刃４を有する本体ケース１の上部側面に、上端に長毛カット刃４１を備えた長毛カットユニット５を、長毛カット刃４１が本体ケース１の主刃４よりも下方に位置する格納位置と、長毛カット刃４１が主刃４の側部に接近する高さに突出するコンビネーション剃りの使用位置との間で上下方向に移動可能に装着してある電気かみそりにおいて、
　長毛カットユニット５がコンビネーション剃りの使用位置において所定ストロークだけ上下にフローティングするように弾性支持されており、
　長毛カット刃４１を挟む形態を成す位置に、櫛状の髭梳し部Ｔ１と櫛状の第二の髭梳し部Ｔ２を設け
るとともに長毛カットユニット５が凹凸係合による位置決めがなされている
　　　　　　　　　　　　　　　　　　　　　　　　　　　　　　
２．補正の適否
　上記補正は、請求項１に記載した発明を特定するために必要な事項である「長毛カットユニット５が凹凸係合による位置決めがなされている」との限定を付加するものであって、特許法第１７条の２第４項第２号の特許請求の範囲の減縮を目的とするものに該当する。
　そこで、本件補正後の特許請求の範囲の請求項１に記載された発明（以下、「本件補正発明」という。）が特許出願の際独立して特許を受けることができるものであるか（特許法第１７条の２第５項において準用する同法第１２６条第４項の規定に適合するか）について以下に検討する。
　　　　　　　　　　　　　　　　　　　　　　　　　　　　　　
２−１　本件補正発明
　本件補正発明は、本件補正により補正された明細書及び図面の記載からみて、前記１−２に示す特許請求の範囲の請求項１に記載された事項により特定されるとおりの「電気かみそり」であると認める。
　　　　　　　　　　　　　　　　　　　　　　　　　　　　　　
２−２　引用刊行物
　これに対し、原査定の拒絶の理由に引用され、本件出願前に日本国内で頒布された刊行物である特開平７−１００２７１号公報（以下、「刊行物１」という。）、また、原査定時に周知例として示された、特開平８−　８９６７１号公報（以下、「刊行物２」という。）、特開平８−　６６５６７号公報（以下、「刊行物３」という。）及び特開平７−１４４０７４号公報（以下、「刊行物４」という。）には、以下の事項が記載されている。　　
　　　　　　　　　　　　　　　　　　　　　　　　　　　　　　
（１）刊行物１
（１−イ）段落【０００１】
「【産業上の利用分野】本発明は、フロート式の仕上げ剃り用刃ヘッドと粗削り用刃ヘッドとで同時剃りを行なう電気かみそりに関し、詳しくは両刃ヘッド間に上下方向の段差が設定された構造に関する。」
（１−ロ）段落【０００８】，【０００９】
「【実施例】・・・往復式電気かみそり１は、図５に示すように、かみそり本体２の上面に一対の仕上げ剃り用刃ヘッド３（外刃ヘッド）が略同じ高さで並設され、一方の仕上げ剃り用刃ヘッド３の前方に粗削り用刃ヘッド４（トリマー）が並設されている。一対の仕上げ剃り用刃ヘッド３は、かみそり本体２の上面に着脱自在に装着される外刃フレーム５に取付けられるものであって、・・・なお、図３中、２４は外刃フレーム５における粗削り用刃ヘッド取付部、２６はかみそり本体２上面に設けられた着脱釦で、外刃フレーム５をかみそり本体２に着脱自在とするものである。」
（１−ハ）段落【００１３】
「かみそり本体２の一側面には、図１に示すように、粗削り用刃ヘッド４（トリマー）が外刃フレーム５に取付けられている。この粗削り用刃ヘッド４は、仕上げ剃り用刃ヘッド３，３で仕上げ剃りする前に、長い毛を粗削りするものであって、櫛刃状の固定刃３６と、櫛刃状の可動刃３７と、可動刃３７を固定刃３６に押し付ける押付バネ（図示せず）と、押付バネを固定するバネ押さえ板３８と、可動刃３７に櫛刃駆動杆３９の駆動力を伝達する櫛刃駆動子４０（図３）とを備える。上記櫛刃駆動杆３９は、かみそり本体２の一方の駆動子１７に固定されており、さらに粗削り用刃ヘッド４は、かみそり本体２に対して上下にスライド自在の状態でトリマー支持ボタン４１から成る部品にて保持されている。このトリマー支持ボタン４１には、トリマーハンドル４２が設けられ、このトリマーハンドル４２は外刃フレーム５に設けられた窓部から外部に面して配置され、外部からトリマーハンドル４２を上下に移動させることによって、粗削り用刃ヘッド４を上下に移動できるようになっている。なお、粗削り用刃ヘッド４を上方位置へ移動させた時には、粗削り用刃ヘッド４を単独で使用できる。」
（１−ニ）段落【００２４】〜【００２６】
「・・・段差変更手段３０を粗削り用刃ヘッド４を上下方向に数段階に高さ設定変更可能とする手段で構成したものであって、この手段は図１０に示すように、トリマー基台１００の両端部から夫々垂設された左右一対の段差設定用弾性フック３０ｂと、外刃フレーム５の両側内側面に夫々形成された左右複数のストッパ３０ｃ，３０ｄとで構成されている。各ストッパ３０ｃ，３０ｄは、上下２段に形成され、段差設定用弾性フック３０ｂが上段ストッパ３０ｃよりも上位（粗削り用ポジションＤ）に位置していると、図１３に示すように、粗削り用刃ヘッド４を仕上げ剃り用刃ヘッド３よりも上位に突出させることができ、粗削り用刃ヘッド４を単独で使用できる。
　この状態から、粗削り用刃ヘッド４を押し下げて段差設定用弾性フック３０ｂを上段ストッパ３０ｃと下段ストッパ３０ｄとの中間（腋部剃り用ポジションＥ）に位置させることにより、図１２に示すように、粗削り用刃ヘッド４と仕上げ剃り用刃ヘッド３との上下の段差３５を小さく設定することができ、肌を仕上げ剃り用刃ヘッド３に刺激なく押し当てることができ、腋部のように比較的柔らかい肌を粗削り用刃ヘッド４と仕上げ剃り用刃ヘッド３とによる同時剃りシステムカットを快適に行なうことができる。
　この状態からさらに粗削り用刃ヘッド４を押し下げて段差設定用弾性フック３０ｂを下段ストッパ３０ｄよりも下位（足部剃り用ポジションＦ）に位置させることにより、図１１に示すように、粗削り用刃ヘッド４と仕上げ剃り用刃ヘッド３との上下の段差３５を大きく設定することができる。この場合、肌の押し付け力により仕上げ剃り用刃ヘッド３がフロート（沈み込み）して、仕上げ剃り用刃ヘッド３を肌に強く押し当てることができ、肌を外刃６に密着させることができ、従って、足部のように比較的肌の硬い部位の毛であってもより短く剃ることができる。なお、粗削り用刃ヘッド４を引っ張り出すことにより、足部剃り用ポジションＦから腋部剃り用ポジションＥ、粗削り用ポジションＤに夫々段階的に移行させることができる。このように粗削り用刃ヘッド４は仕上げ剃り用刃ヘッド３との間の上下の段差３５を対象となる部位に合わせた高さ位置に変更できる構造を有しているため、・・・肌のどの部位においても夫々最適な剃り味を得ることができるという利点がある。・・・」
　　　　　　　　　　　　　　　　　　　　　　　　　　　　　　
　上記記載事項及び図１０〜１３の記載からみて、刊行物１には次の発明（以下、「刊行物１記載の発明」という。）が記載されていると認められる。
「仕上げ剃り用刃ヘッド３をかみそり本体２の上部に有し、かみそり本体２の上面に装着される外刃フレーム５の内部側面に、上端に粗削り用刃（トリマー）を備えた粗削り用刃ヘッド４を、粗削り用刃（トリマー）がかみそり本体２の仕上げ剃り用刃ヘッド３よりも下方に位置する足部剃り用ポジションＦと、粗削り用刃（トリマー）が仕上げ剃り用刃ヘッド３の側部に接近する高さに突出し、仕上げ剃り用刃ヘッドと粗削り用刃ヘッドとによる同時剃りの使用位置である腋部剃り用ポジションＥとの間で上下方向に移動可能に装着してある電気かみそりにおいて、
　仕上げ剃り用刃ヘッド３が仕上げ剃り用刃ヘッド３と粗削り用刃ヘッド４とによる同時剃りの使用位置において所定ストロークだけ上下にフローティングするように弾性支持されている電気かみそり。」
　　　　　　　　　　　　　　　　　　　　　　　　　　　　　　
（２）刊行物２
（２−イ）段落【０００１】
「【産業上の利用分野】本発明は、刃を摺接させて往復駆動することにより肌に追従して無駄毛を切断する往復式電気かみそりに関するものである。」
（２−ロ）段落【００１６】
「次に図８乃至図１３に示す第２の実施例について述べる。本実施例の場合切刃ブロック３がトリマー用の切刃ブロック３ｂとなっている。この切刃ブロック３ｂはカバー２１、板バネ２２、可動刃２３、固定刃２４、支持基台２５、トリマー駆動子２６等で構成されている。支持基台２５の前側（毛剃りを行うとき切刃ブロック３ｂを進行させる側）は肌当て部材となっており、整毛したり毛起こししたりする櫛状部２５ａを長手方向に有している。・・・」
（２−ハ）段落【００２６】，【００２７】
「次に図２０乃至図２４に示す第４の実施例を説明する。本実施例は第１の実施例の切刃ブロック３ａと第２の実施例の切刃ブロック３ｂとを２個並設したものである。・・・切刃ブロック３ｂは櫛状部２５ａに対応する位置に設けたスイング軸１５を中心にスイング自在になっている。・・・各切刃ブロック３ａ，３ｂは夫々独立してスイングすると共に上下にフロート自在になっている。・・・
　上記のように構成せる往復式電気かみそりは２個の切刃ブロック３ａ，３ｂが内刃６の摺動方向と直交する方向にバネ３８に抗してスイング軸１５を中心に夫々独立してスイングすると共に切刃ブロック３ａ，３ｂが独立して上下に自在にフロートする。図２４は肌２０の無駄毛を切断している状態であり、肌２０が凹凸を有する曲面であっても各切刃ブロック３ａ，３ｂの頂上部１６近傍が肌２０に確実に接触するようにスイングやフロートし、肌当たりよく、効率的に短く無駄毛が切断できる。またこの実施例の場合、トリマー用の切刃ブロック３ｂを毛ぞりの進行方向の前方に配設したので、切刃ブロック３ｂにて長毛を効率よく切断し、短毛カット用の切刃ブロック３ａにて効率よく（速く）且つ短く切断できる。・・・」
　　　　　　　　　　　　　　　　　　　　　　　　　　　　　　
（３）刊行物３
（３−イ）段落【０００１】
「【産業上の利用分野】本発明は、刃を摺接させて往復駆動することにより肌に追従して無駄毛を切断する往復式電気かみそりに関し、・・・」
（３−ロ）段落【００１２】
「次に図８乃至図１２に示す第２の実施例について述べる。本実施例の場合切刃ブロック３がトリマー用の切刃ブロック３ｂとなっている。この切刃ブロック３ｂはカバー２１、板バネ２２、可動刃２３、固定刃２４、支持基台２５、トリマー駆動子２６等で構成されている。支持基台２５には整毛したり毛起こししたりする櫛状部２５ａを長手方向に有し、・・・」
（３−ハ）段落【００２３】，【００２４】
「次に図２５乃至図２９に示す第５の実施例を説明する。本実施例は第１の実施例の切刃ブロック３ａと第２の実施例の切刃ブロック３ｂとを２個並設したものである。・・・切刃ブロック３ｂは頂上部１６の櫛歯２３ａ，２４ａに対応する位置に設けたスイング軸１５を中心にスイング自在になっている。切刃ブロック３ａ，３ｂのスイング軸１５は夫々別々のスイング基台１７にスイング自在に取り付けられ、各切刃ブロック３ａ，３ｂは夫々独立してスイングすると共に上下にフロート自在になっている。・・・
　上記のように構成せる往復式電気かみそりは２個の切刃ブロック３ａ，３ｂが内刃６の摺動方向と直交する方向にスイング軸１５を中心に夫々独立してスイングすると共に切刃ブロック３ａ，３ｂが独立して上下に自在にフロートする。図２９は肌２０の無駄毛を切断している状態であり、肌２０が凹凸を有する曲面であっても各切刃ブロック３ａ，３ｂの頂上部１６が肌２０に確実に接触するようにスイングやフロートし、肌当たりよく、効率的に短く無駄毛が切断できる。またこの実施例の場合、トリマー用の切刃ブロック３ｂを毛ぞりの進行方向の前方に配設したので、切刃ブロック３ｂにて長毛を効率よく切断し、短毛カット用の切刃ブロック３ａにて効率よく（速く）且つ短く切断できる。・・・」
　　　　　　　　　　　　　　　　　　　　　　　　　　　　　　
（４）刊行物４
（４−イ）段落【０００１】
「【産業上の利用分野】本発明は電気かみそり、殊にネット刃とトリマー刃とを備えるとともに、この両種の刃を同時に肌に当てることができるようになっている電気かみそりに関する。」
（４−ロ）段落【０００５】
「【課題を解決するための手段】上記課題を解決するために、本発明は、ネット刃２０とトリマー刃５とを上端に備えて両種の刃を同時に肌に接触させることができるようにされた電気かみそりにおいて、トリマー刃５の刃基台頂部５０ｂの肌当て面５０ｃに複数のスリット孔４１を形成したことを特徴とする。」
（４−ハ）段落【０００８】
「【作用】しかして本発明によれば、トリマー刃５の刃基台頂部５０ｂの肌当て面５０ｃに複数のスリット孔４１を形成したことにより、トリマー刃５で切断された毛が肌当て面５０ｃのスリット孔４１内に入って起き上がり、次のネット刃２０に導入され易くなる。従って、従来のように肌と刃基台頂部５０ｂの肌当て面との間に毛が挟まれて寝てしまうのを防止できるので、ネット刃２０での剃り残しを少なくすることができ、しかもスリット孔４１により肌当て面５０ｃと肌との接触面積が減少することにより、毛を剃る時の摩擦抵抗が小さくなる。」
（４−ニ）段落【００１６】
「・・・電気かみそりによって実際に毛５５を剃る場合の肌及び毛５５の挙動を説明すると、図５に示すように、電気かみそりを矢印方向Ａに動かした場合、長い毛５５はトリマー刃５にて切断される。そして、比較的短い毛やトリマー刃５によって短く切断された毛はトリマー刃５の刃基台頂部５０ｂに設けてある複数のスリット孔４１に導入され、整毛されながらネット刃２０へと送られる。このとき、スリット孔４１内では、トリマー刃５で切断された毛５５が起き上がり、ネット刃２０に導入され易くなる。しかも、スリット孔４１の深さＬがトリマー刃５の刃先側で浅く、且つネット刃２０に向かうにつれて徐々に深くなるように勾配が設けられているから、スリット孔４１に導入されるまで倒れていた毛５５がスリット孔４１の深さＬに合わせて徐々に起きてきてネット刃２０の側面２０ａの刃孔４３に入って切断される。しかも、スリット孔４１の幅Ｄはトリマー刃５の刃先側で広く、且つネット刃２０に向かうにつれて徐々に狭くなるように形成されているから、スリット孔４１に導入されるまで多方向に向いていた毛５５をスリット孔４１により整毛でき、ネット刃２０への導入がよりスムーズとなる。従って、従来のように肌と刃基台頂部５０ｂの肌当て面５０ｃとの間に毛５５が挟まれて寝てしまうのを防止できるので、ネット刃２０での剃り残しを少なくすることができる。そのうえ、スリット孔４１を刃基台頂部５０ｂに設けたことにより、肌当て面５０ｃと肌との接触面積を減少させることができ、毛５５を剃る時の肌との摩擦抵抗を小さくすることができる。その結果、毛５５の導入が良好で剃り残しが少なくなり、腋などの汗ばんだ部位であってもスムーズに且つ早く剃ることができるという利点がある。」
　　　　　　　　　　　　　　　　　　　　　　　　　　　　　　
２−３　対比
　本件補正発明と刊行物１記載の発明とを対比すると、後者の「仕上げ剃り用刃ヘッド３」は前者の「主刃４」に相当し、同様にして、後者の「かみそり本体２」は前者の「本体ケース１」に、後者の「粗削り用刃（トリマー）」は前者の「長毛カット刃４１」に、後者の「粗削り用刃ヘッド４」は前者の「長毛カットユニット５」に、後者の「足部剃り用ポジションＦ」は前者の「格納位置」に、後者の「仕上げ剃り用刃ヘッドと粗削り用刃ヘッドとによる同時剃りの使用位置である腋部剃り用ポジションＥ」は前者の「コンビネーション剃りの使用位置」に、技術的意義からみて、それぞれ相当することは明らかである。
　また、後者の「かみそり本体２の上面に装着される外刃フレーム５の内部側面に、上端に粗削り用刃（トリマー）を備えた粗削り用刃ヘッド４を、上下方向に移動可能に装着してある」ことは、前者の「本体ケース１の上部側面に、上端に長毛カット刃４１を備えた長毛カットユニット５を、上下方向に移動可能に装着してある」ことと、本体ケースの上方側部に、上端に長毛カット刃を備えた長毛カットユニットを、上下方向に移動可能に装着してあることである限りにおいて共通している。
　　　　　　　　　　　　　　　　　　　　　　　　　　　　　　
　してみると、両者の一致点及び相違点は、以下のとおりである。
［一致点］
「主刃を本体ケースの上部に有し、本体ケースの上方側部に上端に長毛カット刃を備えた長毛カットユニットを、長毛カット刃が本体ケースの主刃よりも下方に位置する格納位置と、長毛カット刃が主刃の側部に接近する高さに突出するコンビネーション剃りの使用位置との間で上下方向に移動可能に備えている電気かみそり。」である点。
　　　　　　　　　　　　　　　　　　　　　　　　　　　　　　
［相違点１］
　本件補正発明では、長毛カットユニットがコンビネーション剃りの使用位置において所定ストロークだけ上下にフローティングするように弾性支持されているのに対して、刊行物１記載の発明では、主刃がコンビネーション剃りの使用位置において所定ストロークだけ上下にフローティングするように弾性支持されている点。
　　　　　　　　　　　　　　　　　　　　　　　　　　　　　　
［相違点２］
　本件補正発明では、長毛カット刃を挟む形態を成す位置に、櫛状の髭梳し部Ｔ１と櫛状の第二の髭梳し部Ｔ２を設けているのに対して、刊行物１記載の発明では、櫛状の髭梳し部Ｔ１と櫛状の第二の髭梳し部Ｔ２を設けていない点。
　　　　　　　　　　　　　　　　　　　　　　　　　　　　　　
［相違点３］
　本件補正発明では、長毛カットユニットが本体ケースの上部側面に上下方向に移動可能に装着されており、また、長毛カットユニットが凹凸係合による位置決めがなされているのに対して、刊行物１記載の発明では、長毛カットユニットが本体ケースの上面に装着される外刃フレームの内部側面に上下方向に移動可能に装着されており、また、長毛カットユニットが位置決めされていることについて特定されていない点。
　　　　　　　　　　　　　　　　　　　　　　　　　　　　　　
２−４　相違点についての判断
［相違点１について］
　長毛カットユニットがコンビネーション剃りの使用剃り位置において所定ストロークだけ上下にフローティングするように弾性支持されることは、刊行物２及び３に記載されている（前記刊行物２記載事項の（２−ハ）、及び前記刊行物３記載事項の（３−ハ）参照。）ように、従来周知な事項である。
　そうすると、刊行物１記載の発明に前記周知技術を適用して、コンビネーション剃りの使用位置において所定ストロークだけ上下にフローティングするように弾性支持する刃を、主刃に代えて、もしくは主刃に加えて長毛カットユニットとすることは、当業者であれば容易になし得たことである。
　　　　　　　　　　　　　　　　　　　　　　　　　　　　　　
［相違点２について］
　刊行物２及び３には、トリマー用の切刃の前側に櫛状部２５ａが設けられていることが記載されており（前記刊行物２記載事項の（２−ロ）、及び前記刊行物３記載事項の（３−ロ）参照。）、この櫛状部２５ａは整毛したり毛起こししたりするから櫛状の髭梳し部Ｔ１ということができ、同じく刊行物４には、ネット刃２０とトリマー刃５とを上端に備えて両種の刃を同時に肌に接触させることができるようにされた電気かみそりにおいて、トリマー刃５の刃基台頂部５０ｂの肌当て面５０ｃに複数のスリット孔４１を形成したことが記載されており（前記記載事項（４−ロ）参照。）、この複数のスリット孔が形成されたトリマー刃の刃基台頂部５０ｂは、トリマー刃５で切断された毛が肌当て面５０ｃのスリット孔４１内に入って起き上がり、次のネット刃２０に導入され易くなり、従って、従来のように肌と刃基台頂部５０ｂの肌当て面との間に毛が挟まれて寝てしまうのを防止できるから、櫛状の第二の髭梳し部Ｔ２ということができる。
　そうすると、刊行物１記載の発明に前記刊行物２ないし４に記載された前記各周知技術を適用して、相違点２に係る本件補正発明の特定事項のように成すことは、当業者であれば、容易に想到し得たことである。
　　　　　　　　　　　　　　　　　　　　　　　　　　　　　　
［相違点３について］
　長毛カットユニットを上下方向に移動可能に装着される箇所を、本体ケースの上部側面にするか、本体ケースの上面に装着される外刃フレームの内部側面にするかで、技術的意義において格別の差異を見出せない以上、刊行物１記載の発明において、長毛カットユニットを本件補正発明のように本体ケースの上部側面とすることは、当業者が適宜なし得た設計変更にすぎないことである。
　また、本件補正発明において、長毛カットユニットの凹凸係合による位置決めは、長毛カットユニットが上下方向に移動可能に装着されていることからすると、左右方向に位置決めされていると解するのが相当である。
　ところで、刊行物１記載の発明においても、長毛カットユニットは、本件補正発明と同様に上下方向に移動可能に装着されていることから、何らかの手段により上下方向に案内されており、長毛カットユニットが左右方向に関して位置決めされていると解するのが相当である。
　そして、位置決め手段として凹凸係合を採用することは、当業者が容易になし得た設計的事項にすぎないことである。
　　　　　　　　　　　　　　　　　　　　　　　　　　　　　　
　そして、本件補正発明の奏する効果も、刊行物１記載の発明及び前記刊行物２ないし４記載の技術から予測できる程度のものであって格別なものでもない。
　　　　　　　　　　　　　　　　　　　　　　　　　　　　　　
　したがって、本件補正発明は、刊行物１記載の発明及び前記刊行物２ないし４記載の技術に基いて当業者が容易に発明をすることができたものであるから、特許法第２９条第２項の規定により特許を受けることができない。
　　　　　　　　　　　　　　　　　　　　　　　　　　　　　　
　なお、請求人は、平成１８年２月８日に提出した回答書において、本件補正発明は、図７に示される凸部６０と図１１に示される凹部５９を設け、積極的に左右方向のブレをなくすことができる構成としたものであり、
（ア）髭梳し部Ｔ１と櫛状の第二の髭梳し部Ｔ２を有する構造、
（イ）長毛カットユニット５のフローティング構造（格納位置とコンビネーション位置に変更も可能）、
（ウ）長毛カットユニット５の凹凸係合による位置決め構造、
とが極めて有機的に結びついて成る本願発明は、引用文献１とは明確に構成が異なる旨主張をしている。
　しかしながら、図７に示される凸部６０と図１１に示される凹部５９を設け、積極的に左右方向のブレをなくすことができる構成とした点については、特許請求の範囲の記載に基づかない主張であり、仮に、そのように解されるとしても、当業者であれば、容易になし得た設計的事項にすぎないことである。
　また、本件補正発明の奏する作用効果についても、刊行物１記載の発明、及び前記各周知技術の各々が奏する作用効果を、単に組み合わせた作用効果にすぎないものと認められ、上記（ア），（イ）及び（ウ）が有機的に結びついて成ることによるものとすることはできない。
　したがって、上記請求人の主張は採用することができない。
　　　　　　　　　　　　　　　　　　　　　　　　　　　　　　
３．むすび
　以上のとおり、本件補正は、平成１５年改正前特許法第１７条の２第５項において準用する同法第１２６条第４項の規定に違反するものであり、特許法第１５９条第１項で読み替えて準用する特許法第５３条第１項の規定により却下されるべきものである。
　　　　　　　　　　　　　　　　　　　　　　　　　　　　　　
第３　本願発明について
１．本願発明
　本件補正は上記のとおり却下されたので、本件出願の請求項１に係る発明（以下、「本願発明」という。）は、平成１５年７月２２日付けの手続補正書により補正がされた明細書の特許請求の範囲の請求項１記載された事項により特定される前記第２の１−１に示したとおりのものと認められる。
　　　　　　　　　　　　　　　　　　　　　　　　　　　　　　
２．引用刊行物
　これに対し、原査定の拒絶の理由に引用された刊行物及びその記載内容は、前記第２の２−２に示したとおりである。
　　　　　　　　　　　　　　　　　　　　　　　　　　　　　　
３．対比・判断
　本願発明は、前記第２の２．で検討したように、本件補正発明の特定事項から前記限定事項を省いたものである。
　そうすると、前記第２の２−４に記載したとおり、本願発明の特定事項を全て含み、さらに他の特定事項を付加したものに相当する本件補正発明が、前記第２−４に記載したとおり、刊行物１記載の発明及び前記刊行物２ないし４記載の技術に基いて当業者が容易に発明をすることができたものであるから、本願発明も、同様の理由により、刊行物１記載の発明及び前記刊行物２ないし４記載の技術に基いて当業者が容易に発明をすることができたものである。
　　　　　　　　　　　　　　　　　　　　　　　　　　　　　　　
４．むすび
　以上のとおりであるから、本願発明は、特許法第２９条第２項の規定により特許を受けることができない。
　したがって、本件出願は拒絶すべきものである。
　よって、結論のとおり審決する。